(57)【特許請求の範囲】
【請求項１】
予め未露光の写真フイルムが装填され簡単な撮影機構が組み込まれたレンズ付きフイルムユニットにおいて、
ユニット本体には、ストロボ発光部，回路基板及びこれらに給電を行う電源電池が密封されたケースに収納されたストロボ装置が着脱自在に取り付けられる取り付け部が設けられており、この取り付け部には、前記ストロボ装置を取り付けない場合にはその代わりのダミーカバーが取り付けられることを特徴とするレンズ付きフイルムユニット。
【請求項２】
予め未露光の写真フイルムが装填され簡単な撮影機構が組み込まれたレンズ付きフイルムユニットに用いられるストロボ装置において、
ストロボ発光部，回路基板及びこれらに給電を行う電源電池が密封されたケースに収納されており、このケースは、前記レンズ付きフイルムユニットの本体の取り付け部に着脱自在であり、そのケースの形状は、前記取り付け部から前記ケースが取り外されたときに前記ケースの代わりに前記取り付け部に取り付けられるダミーカバーと略同形状であることを特徴とするストロボ装置。
【請求項３】
予め未露光の写真フイルムが装填され簡単な撮影機構が組み込まれたレンズ付きフイルムユニットに用いられるストロボ装置において、
ストロボ発光部，回路基板及びこれらに給電を行う電源電池が密封されたケースに収納されており、前記ケースは、前記レンズ付きフイルムユニットの外装カバーに一体に設けられており、前記ケース付きの前記外装カバーの外面形状は、このケース付きの前記外装カバーの代わりに前記レンズ付きフイルムユニットの本体に取り付けられる前記ケース無しの前記外装カバーであるダミーカバーと略同形であることを特徴とするストロボ装置。
【発明の詳細な説明】
【０００１】
【発明の属する技術分野】
本発明は、レンズ付きフイルムユニット及びこれに用いられるストロボ装置に関するものであり、さらに詳しくは、ストロボ装置の不適正な部品の流用を抑制又は防止する対策に関するものである。
【０００２】
【従来の技術】
予め写真フイルムが装填された１回使用型の簡易型カメラとして、レンズ付きフイルムユニットが知られている。このレンズ付きフイルムユニットは、写真フイルムを装填するとともに簡単な撮影機構が組み付けられる本体基部と、これを前後から覆う前カバー及び後カバーとから構成される。これら主要な構成部品は、プラスチックで形成される。
【０００３】
レンズ付きフイルムユニットは、小型、簡易な構造、低価格をその特徴としている一方、各種の機能が付加されてきており、その中でもストロボ装置を内蔵したものが普及している。このストロボ装置は、例えば、ストロボ発光部と、回路基板と、これらに給電する電源電池とからなる。
【０００４】
ユーザーは、写真フイルムを撮り終わると、使用済みレンズ付きフイルムユニットを、その本体毎プリント業者に渡して、プリントを依頼する。写真フイルムはプリントとともにユーザーに返却される一方、使用済みレンズ付きフイルムユニットの本体は、プリント業者を介してカメラメーカーに回収される。
【０００５】
カメラメーカーは、環境汚染防止や資源の有効活用の観点から、使用済みレンズ付きフイルムユニットのリサイクルを積極的に進めており、製品の設計段階から生産ラインに至るまでリサイクルを前提として設計することにより、循環型生産システムを構築している。
【０００６】
カメラメーカーは、使用済みレンズ付きフイルムユニットを分解し、ストロボ装置や露光ユニットなどについては、洗浄及び検査を行って再使用する。また、プラスチック部品については、溶解・ペレット化して、プラスチック材料として再利用している。レンズ付きフイルムユニットは、１回使用を前提としており、低価格を実現するために部品の耐久性も通常のカメラと比較すると低い。そのため、再使用されるストロボ装置等については、適正な検査とともに、必要に応じて修理を施すことにより、品質を確保している。
【０００７】
また、このリサイクルによって、レンズ付きフイルムユニットの販売価格の引下げも図っている。特に、ストロボ装置は、他の部品と比較して非常に高価であるため、これをリユースすることによる販売価格引き下げの効果は大きい。
【０００８】
しかし、使用済みのレンズ付きフイルムユニットの全てがカメラメーカーに戻されるのではなく、その一部は、フイルム詰め替え業者や部品流用業者などにまわされる。詰め替え業者は、使用済みのレンズ付きフイルムユニットに未使用の写真フイルムの詰め替えを行い、他方、部品流用業者は、使用済みのレンズ付きフイルムユニットの本体構成部品の一部を流用して、別のレンズ付きフイルムユニットを組み立てる。フイルムが詰め替えられた詰め替え品や部品流用により組み立てられた部品流用品は、包装されて新品として販売される。こうした詰め替え品や部品流用品は、ストロボ装置など高価な部品をコストをかけずに利用しているので、その販売価格は非常に安い。
【０００９】
【発明が解決しようとする課題】
しかしながら、これら詰め替え品や部品流用品は、部品の洗浄，修理及び検査が適正に行われていない場合が多く、品質に問題がある。このような問題は、レンズ付きフイルムユニットそのものや、カメラメーカーに対する信頼を傷つけるおそれがある。
【００１０】
さらに、部品流用の場合には、ストロボ装置のように高価でかつ流用が簡単な部品だけが利用される。しかも、ストロボ装置は、レンズ付きフイルムユニットの本体に内蔵されており、本体から簡単に取り外すことができない。そのため、部品流用業者は、ストロボ装置を含むレンズ付きフイルムユニット全体を引き取った後、ストロボ装置だけを抜き取り、それ以外の部分については、無駄に廃棄している可能性が高い。こうした不適正な部品流用が継続的かつ大量に行われてしまうと、カメラメーカーが構築した循環型生産システムの目的（環境汚染防止及び資源の有効活用）が没却されるばかりでなく、リユースによるコスト的なメリットが奪われることになり、循環型生産システム自体が破壊されることになりかねない。
【００１１】
そのため、カメラメーカーは、不適正な写真フイルムの詰め替えを防止する対策について、例えば、特開平７−１２０８８３号公報などに記載されているような各種の対策を考えており、その一部を既に実施している。
【００１２】
他方、部品流用、特に、ストロボ装置の流用については、ストロボ装置を外付けタイプとすることで、それを防止する対策が検討されている。すなわち、ストロボ装置をレンズ付きフイルムユニットの本体から分離独立させるとともに、レンズ付きフイルムユニットの本体に着脱自在に取り付けることができるようにする。これにより、ストロボ装置が繰り返し使用できるようになるため、結果として、ストロボ装置の流通量が減り、ストロボ装置の流用が抑制又防止されると考えられる。
【００１３】
しかし、ストロボ装置を外付けにした場合、ストロボ装置付きのレンズ付きフイルムユニットと、ストロボ装置無しのレンズ付きフイルムユニットとの外形が異なってしまうため、製造コストの増加や、生産効率の悪化を招くという問題があった。
【００１４】
本発明は、製造コストの増加を抑えるとともに生産効率を悪化させることなく、使用済みレンズ付きフイルムユニットの不適正な部品流用、特にストロボ装置の流用を抑制又は防止することを目的とする。
【００１５】
【課題を解決するための手段】
前記目的を達成するために、本発明のレンズ付きフイルムユニットは、予め未露光の写真フイルムが装填され簡単な撮影機構が組み込まれたレンズ付きフイルムユニットにおいて、ユニット本体には、ストロボ発光部，回路基板及びこれらに給電を行う電源電池が密封されたケースに収納されたストロボ装置が着脱自在に取り付けられる取り付け部が設けられており、この取り付け部には、前記ストロボ装置を取り付けない場合にはその代わりのダミーカバーが取り付けられることを特徴とする。
【００１６】
また、本発明のストロボ装置は、予め未露光の写真フイルムが装填され簡単な撮影機構が組み込まれたレンズ付きフイルムユニットに用いられるストロボ装置において、ストロボ発光部，回路基板及びこれらに給電を行う電源電池が密封されたケースに収納されており、このケースは、前記レンズ付きフイルムユニットの本体に着脱自在に取り付けられるとともに、レンズ付きフイルムユニットの外装カバーの一部を構成することを特徴とする。
【００１７】
また、本発明の別のストロボ装置は、予め未露光の写真フイルムが装填され簡単な撮影機構が組み込まれたレンズ付きフイルムユニットに用いられるストロボ装置において、ストロボ発光部，回路基板及びこれらに給電を行う電源電池が密封されたケースに収納し、このケースを、前記レンズ付きフイルムユニットの外装カバーと一体に設けることを特徴とする。
【００１８】
【発明の実施の形態】
図１及び図２に示すように、ストロボ装置付きのレンズ付きフイルムユニット２と、ストロボ装置無しのレンズ付きフイルムユニット３とは、共通のユニット本体４を使用している。ユニット本体４は、簡単な露光機構と、製造時に予め装填された写真フイルムとを備えている。ユニット本体４には、外付け型のストロボ装置６を着脱自在に取り付けるための取り付け部７が設けられている。
【００１９】
この取り付け部７にストロボ装置６を取り付けると、ストロボ装置付きのレンズ付きフイルムユニット２となる。この取り付け部７には、ストロボ装置６の代わりにダミーカバー８を取り付けることができる。ダミーカバー８は、ストロボ装置６を取り付けない場合に取り付け部７を覆うカバーであり、これを取り付けると、ストロボ装置無しのレンズ付きフイルムユニット３となる。このように、各レンズ付きフイルムユニット２，３のユニット本体４を共通化することで、生産設備を効率的に使用することができる。
【００２０】
ユニット本体４は、写真フイルムの交換ができない１回使用型であるのに対して、ストロボ装置６は、複数回（写真フイルム複数本分）の使用が可能である。ユーザーは、ユニット本体４を交換することにより、１つのストロボ装置６を繰り返し使用することができる。
【００２１】
ユニット本体４の前面には、撮影レンズ１６を露呈するための開口１７と、ファインダ対物窓１８が設けられている。ユニット本体４の上部には、シャッタボタン１９、フイルムカウンタ２１が設けられており、背面には巻き上げノブ２２の一部が外部に露呈している。
【００２２】
図３に示すように、ユニット本体４は、本体基部２３と、写真フイルム２４及びカートリッジ本体２５からなる写真フイルムカートリッジ２６と、これらを覆う前カバー３１及び後カバー３２とから構成される。本体基部２３には、その中央に露光部３３が設けられており、この露光部３３の両脇には、カートリッジ本体２５を収納するカートリッジ収納室２３ａと、カートリッジ本体２５から引き出され、ロール状に巻かれた写真フイルム２４を収納する写真フイルム収納室２３ｂとが設けられている。また、カートリッジ収納室２３ａの上部には巻き上げノブ２２が取り付けられている。
【００２３】
巻き上げノブ２２は、その下部に設けられた軸（図示せず）が、カートリッジ本体２５に形成されたスプールと係合する。写真フイルム２４の一端は、スプールに形成されたスリットに挟み込まれて保持される。このため、巻き上げノブ２２の回転に伴ってスプールが回転し、写真フイルム２４が給送される。
【００２４】
露光部３３は、暗箱３８，この暗箱３８の前面に設けられたシャッタ羽根３９，これらの前面を覆うシャッタカバー４１からなる。暗箱３８の前面には、撮影光を暗箱３８内に入射させるための開口３８ａが設けられており、その背面には、写真フイルム２４の露光範囲を区画するアパーチャが形成されている。シャッタカバー４１には、絞りが設けられるとともに、撮影レンズ１６が組み付けられている。
【００２５】
また、露光部３３の上部には、対物レンズ及び接眼レンズからなるファインダ機構及び写真フイルム２４の残数を表示するためのフイルムカウンタ機構が取り付けられている。
【００２６】
シャッタ羽根３９は、開口３８ａを開放する開き位置と、これを覆う閉じ位置との間で回動自在に取り付けられており、バネによって閉じ位置に付勢されている。露光部３３の上部には、シャッタ羽根３９を蹴飛ばす蹴飛ばし機構が設けられている。蹴飛ばし機構は、巻き上げノブ２２による写真フイルム２４の巻き上げに連動してチャージされ、シャッタボタン１９の押下によりシャッタ羽根３９を蹴飛ばす。この蹴飛ばしによりシャッタ羽根３９が閉じ位置と開き位置との間を１往復動して露光が行われる。
【００２７】
暗箱３８の上方には、シンクロスイッチ４３が設けられている。シンクロスイッチ４３は、シャッタレリーズと同期して、ストロボ装置６に対してトリガー信号を送るためのスイッチであり、一対の金属接片４３ａ，４３ｂからなる。シャッタ羽根３９には、前記一対の金属接片４３ａ，４３ｂの一方を押して両者を接触させるための押圧部が設けられている。シャッタ羽根３９が開き位置に達したときに、シンクロスイッチ４３がオンして、ストロボ装置６にトリガー信号が送られる。
【００２８】
各金属接片４３ａ，４３ｂは、本体基部２３に取り付けられており、一端がシャッタ羽根３９の近傍に配置され、他端側は写真フイルムロール室２３ｂに向かって延びている。各金属接片４３ａ，４３ｂの他端は、取り付け部１２に配置されており、ストロボ装置６を取り付けた時に、ストロボ装置６の係合部１３に設けられた接点４４ａ，４４ｂと接触する。
【００２９】
前カバー３１及び後カバー３２は、本体基部２３の前後からそれぞれ取り付けられ、ユニット本体４の内部を光密に覆う。後カバー３２には底蓋３２ａ、３２ｂが一体に形成され、カートリッジ本体２５及び写真フイルム２４の底部を光密に覆っている。また、底蓋３２ａは撮影済みのカートリッジ本体２５を外部に取り出す際に開放される。
【００３０】
図４は、レンズ付きフイルムユニット２の水平方向の断面図である。取り付け部７は、前カバー３１の一部を凹ませて形成されている。取り付け部７には、ストロボ装置６及びダミーカバー８の各係合部６ａ，８ａと係合する係合溝７ａが設けられている。この係合溝７ａの奥には、前記金属接片４３ａ，４３ｂの一部が露呈される。ストロボ装置６の係合部６ａには、前記各金属接片４３ａ，４３ｂと電気的に接続するための接点９ａ，９ｂが設けられている。これら各金属接片４３ａ，４３ｂと各接点９ａ，９ｂとは係合部６ａと係合溝７ａとが係合したときに接触する。
【００３１】
ストロボ装置６は、回路パターンがプリントされるとともにメインコンデンサ４５を含む各回路素子が取り付けられた回路基板４６と、放電管（Ｘｅランプ），リフレクタ，拡散板等からなるストロボ発光部４７と、これらに給電するための電池４８と、これらを収納するケース４９とからなる。ストロボ装置６を構成する部品としては、従来のレンズ付きフイルムユニットに内蔵されたストロボ装置の部品を流用したり、又はそれと同程度の耐久性を持つ部品が使用される。これにより、低コスト化を実現している。
【００３２】
上述したとおり、このストロボ装置６は、写真フイルム複数本分の使用が可能である。しかし、ストロボ装置６は、低コスト化の要請から、部品の耐久性が、普通のカメラ用のストロボ装置と比較して低い。この部品の耐用期間を越えて使用が継続されると、品質の低下により、ユーザーが不測の損害を被るおそれがある。
【００３３】
そのため、部品の耐用期間を越えてユーザーが使用することができないように、電池４８の容量が決められている。しかも、ケース４９を密閉することにより、電池４８とともに、ストロボ回路基板４６，ストロボ発光部４７などの各部品は、ケース４９内に着脱不能に収納される。このため、ユーザーは、電池４８を交換することができず、ケース４９内に収納された電池４８を使い切ったら、それ以上ストロボ装置６を使用することはできない。こうすることで、ストロボ装置６の低コスト化と、その品質の確保とを両立させている。
【００３４】
使用済みのストロボ装置６は、ユニット本体４と同様にプリント業者を通じてカメラメーカーに回収されて、リサイクルされる。カメラメーカーは、回収したストロボ装置６を分解して、洗浄及び検査を行い、必要に応じて部品交換や修理を行って再使用する。使用済みの電池４８は、専用の業者によってリサイクルされる。
【００３５】
電池４８としては、例えば、端子電圧が１．５Ｖのアルカリマンガン電池やリチウム電池が使用される。電池４８の容量は、例えば、写真フイルム２本分のコマ数に対して、全コマフラッシュ撮影が可能な程度の容量に決められる。統計的に見ると、全コマフラッシュ撮影をする場合は少ないので、充電スイッチの切り忘れ等が無ければ、この程度の容量でも、写真フイルム３本分程度の撮影は可能である。もちろん、電池４８の容量は、これに限られず、部品の耐用期間を考慮して適宜決められる。
【００３６】
ケース４９の前面には、ストロボ発光部４７の拡散板が露呈しており、拡散板の下方に操作部材５１が設けられている。操作部材５１は、ストロボ回路の充電スイッチと接続されており、充電スイッチがオンして充電が開始されるオン位置と、充電スイッチがオフして充電が停止するオフ位置との間でスライド自在に設けられている。
【００３７】
ケース４９の上面には、充電が完了したことをユーザーに知らせるための充電完了表示部５２が設けられている。充電完了表示部５２としては、例えば、ストロボ回路に設けられた発光ダイオードの光を導くライトガイドが使用される。なお、この充電完了表示部５２は、操作部材５１のスライドに連動させ、オン位置でケース４９の外面から突出し、オフ位置でケース４９内に収納されるようにしてもよい。
【００３８】
このケース４９は、前カバー３１とともにレンズ付きフイルムユニット２の外装カバーを構成しており、ケース４９の一部が、レンズ付きフイルムユニット２の外面の一部を構成する。
【００３９】
他方、ダミーカバー８は、ストロボ装置６のケース４９と略同形状に形成される。こうすることで、ストロボ装置付きのレンズ付きフイルムユニット２の外形と、ストロボ装置無しのレンズ付きフイルムユニット３の外形とをほぼ同形状とすることができる。このため、レンズ付きフイルムユニットを収納するガゼット袋などの包装材を共通化することができるので、生産効率が低下することもない。
【００４０】
また、ケース４９とダミーカバー８とは、外形が略同形であるため、それらを製造する際には、金型の一部を共用することができる。金型は非常に高価であるため、それを共用することにより低コスト化を実現することができる。また、ストロボ装置付きのレンズ付きフイルムユニット２とストロボ装置無しのレンズ付きフイルムユニット３の外形をほぼ同じにすることで、外観のデザインを統一することができる。それぞれのタイプに応じてデザインを変える必要がないので、開発コストの低下にも寄与する。
【００４１】
図５は、ストロボ回路５６の回路図を示す。充電スイッチ５７は、可動片５８と、第１〜第３接点５９ａ〜５９ｃとから構成され、可動片５８の一端が第３接点５９ｃに接続されている。操作部材５１がオン位置に移動したときに、可動片５８の他端が第１接点５９ａ及び第２接点５９ｂと当接し、各接点間が導通する。
【００４２】
ＮＰＮ型の発振トランジスタ６１と発振トランス６２とは、周知のブロッキング発振作用を利用して昇圧を行う発振昇圧回路６３を構成しており、電池４８の電圧を３００Ｖ程度の高電圧に変換してメインコンデンサ４５を充電する。発振トランス６２は、それぞれが誘導結合された一次コイル６２ａ，二次コイル６２ｂ，三次コイル６２ｃから構成される。一次コイル６２ａの一端は電池４８のプラス電極に接続され、他端は発振トランジスタ６１のコレクタ端子に接続される。二次コイル６２ｂの一端は整流用ダイオード６６のアノードに接続され、他端は三次コイル６２ｃの一端とともに電池４８のプラス電極に接続される。また、三次コイル６２ｃの他端は、抵抗６７ａを通して充電スイッチ５７の第３接点５７ｃに接続される。
【００４３】
整流用ダイオード６６のカソードは、抵抗６７ｂを介してトリガコンデンサ６８の一端と、メインコンデンサ３７の一端（プラス側）とに接続される。また、トリガコンデンサ６８の他端は、充電スイッチ５７の第１接点５９ａに接続される。発振トランジスタ６１のエミッタ端子は、電池４８のマイナス電極に接続され、ベース端子は抵抗６７ｃを介して第２接点５９ｂに接続される。
【００４４】
トリガコイル６９は、誘導結合された一次トリガコイル６９ａと二次トリガコイル６９ｂとから構成される。一次トリガコイル６９ａの一端は、トリガコンデンサ６８の一端に接続され、二次トリガコイル６９ｂの一端は、ストロボ発光部４７に内蔵された放電管７１に近接して設けられたトリガ電極７２に接続される。各コイル６９ａ，６９ｂの他端は共有端子となっており、シンクロスイッチ４３を介して充電スイッチ５７に接続される。また、放電管７１の各端子は、メインコンデンサ４５の両端に接続される。
【００４５】
トリガコンデンサ６８から一次トリガコイル６９ａ，シンクロスイッチ４３，充電スイッチ５７，トリガコンデンサ６８まで順番に接続された回路は、シンクロスイッチ４３をＯＮしたときにトリガコンデンサ６８からの放電電流を一次トリガコイル６９ａに流すトリガ放電回路（トリガー回路）６４を構成する。
【００４６】
充電スイッチ５７をＯＮすると、発振トランジスタ６１が作動し、一次コイル６２ａに電流（発振トランジスタ６１のコレクタ電流）が流れる。そして、二次コイル６２ｂには、一次コイル６２ａと二次コイル６２ｂとの巻線比に応じた起電力が発生し、この起電力によって発生した二次側電流が発振トランジスタ６１のベース電流として流れる。つまり、発振トランス６２の正帰還作用によって、発振トランジスタ６１はコレクタ電流を増大させて発振する。これとともに、二次コイル６２ｂに発生した二次側電流が、メインコンデンサ４５とトリガコンデンサ６８とに流れそれぞれが充電される。
【００４７】
なお、符号７４は、発光ダイオードであり、このアノード及びカソードは、三次コイル６２ｃの両端子に接続される。メインコンデンサ４５の充電電圧が規定充電電圧に達したときに、三次コイル６２ｃの両端子間電圧が所定値を越え、発光ダイオード７４が点灯する。この光が充電完了表示部５２に導光される。
【００４８】
メインコンデンサ４５の充電が完了した状態でシンクロスイッチ４３がＯＮとなると、トリガー回路６４が閉じられ、トリガコンデンサ６８の放電電流が一次トリガコイル６９ａに流れる。一次トリガコイル６９ａに放電電流が流れると、二次トリガコイル６９ｂに高電圧のトリガ電圧が発生し、このトリガ電圧がトリガ電極７２を介して放電管７１に印加される。そして、放電管７１内でメインコンデンサ４５の電荷が放電され、ストロボ光が放出される。
【００４９】
なお、上記ストロボ回路に、いったん充電が完了した後、自然放電が生じた場合に、再度充電が開始されてしまうことを防止する周知のオートカット回路を設けてもよい。こうすれば、ユーザーが充電スイッチを切り忘れた場合でも、電池４８を無駄に消費してしまうことを防止することができる。また、操作部材５１の代わりに、プッシュ式の充電ボタンを設け、この充電ボタンを押している間だけ充電スイッチがオンするようにしてもよい。これによっても充電スイッチの切り忘れを防止することができる。
【００５０】
以下、上記構成による作用について、図６を参照しながら説明する。図６は、レンズ付きフイルムユニット２，３の製造から、ユーザーによる使用を経てリサイクルされるまでのフローチャートである。
【００５１】
カメラメーカーは、レンズ付きフイルムユニット２，３を製造する。各レンズ付きフイルムユニット２，３のユニット本体４は共通であり、しかも、ストロボ装置６のケース４９と、ダミーカバー８とは略同形なので、製造コストが安い上、生産効率もよい。また、各レンズ付きフイルムユニット２，３の外形もほぼ同形なので、包装材料も共通化することができる。これらによって各レンズ付きフイルムユニット２，３を安価に提供することができる。
【００５２】
カメラメーカーが製造したレンズ付きフイルムユニット２，３は、販売店を通じてユーザーに提供される。ユニット本体４は、単体でも販売される。ストロボ装置６は複数回の使用が可能であるため、既にストロボ装置６を保有しているユーザーは、ユニット本体４だけを購入すれば、安価にストロボ装置付きのレンズ付きフイルムユニット２を手に入れることができる。
【００５３】
写真フイルム２４を使い切ったら、ユーザーは、使用済みのユニット本体４を、プリント業者に持ち込んで、プリントを依頼する。プリント業者は、ユニット本体４から写真フイルム２４を取り出して、プリント処理をする。現像済みの写真フイルム２４は、仕上がった写真プリントをユーザーに引き渡す際にユーザーに返却される。他方、写真フイルム２４が抜き取られたユニット本体４は、カメラメーカーに回収される。
【００５４】
他方、ストロボ装置６は、電池４８を使い切るまで使用することができる。ユーザーは、次回の使用に備えて、ストロボ装置６を使用済みのユニット本体４から取り外して保管しておく。次回使用する場合には、販売店で新しいユニット本体４だけを購入し、このユニット本体４に、保管しておいたストロボ装置６を装着して、撮影を行う。
【００５５】
ストロボ装置６の電池４８を使い切ると、充電ができないので、充電完了表示部５２も点灯しない。ユーザーは、充電完了表示部５２が点灯しなくなることにより、電池４８を使い切ったことを知る。
【００５６】
電池４８を使い切った使用済みのストロボ装置６は、プリント業者を通じてカメラメーカーに回収される。ユーザーは、使用済みのストロボ装置６を単体でプリント業者に持ち込んでもよいし、ユニット本体４とともに持ち込んでもよい。
【００５７】
ユニット本体４は、１本の写真フイルム２４を使い切るとプリント業者に持ち込まれるのに対して、ストロボ装置６は、複数回（写真フイルム複数本分）使用することができるから、従来と比較して、ストロボ装置６がプリント業者に持ち込まれる回数が減る。このため、ストロボ装置が詰め替え業者や部品流用業者の手に渡る機会が減るので、不適正な詰め替え品及び部品流用品の流通量を減らすことができる。
【００５８】
また、ユニット本体４には、高価なストロボ装置が組み込まれていないので、このユニット本体４が詰め替え業者や部品流用業者の手に渡ることもなくなる。そのため、ユニット本体４の回収率も向上するので、無駄に廃棄される量が減り、環境汚染が防止されるとともに、資源が有効活用される。
【００５９】
カメラメーカーに回収されたユニット本体４及びストロボ装置６は、適正にリサイクルされる。使用済みのストロボ装置６は、分解された後、各部品に対して洗浄，検査及び必要に応じて修理が施される。各部品は、新しい電池とともに、新しいケースに組み込まれて再使用される。使用済みのケースは、破砕されてプラスチック材料として再利用される。使用済みの電池は、専門業者に引き渡されてリサイクルされる。
【００６０】
上記実施形態では、シンクロスイッチと接続するための接点が、係合部の表面に設けられており、ストロボ装置の外面に露呈している。そのため、メインコンデンサを充電済みの状態でストロボ装置をユニット本体から取り外した場合、誤って接点に指が触れて各接点間が導通してしまうと、感電してしまうおそれがある。充電完了状態では、接点にメインコンデンサと同じ電圧がかかっているため、非常に危険である。そのため、ストロボ装置をユニット本体から取り外した時にメインコンデンサが放電されるように放電スイッチを設けるなどの安全対策を施しておくとよい。
【００６１】
また、図７及び８に示すレンズ付きフイルムユニット７１のように、ユニット本体７２の側端部に取り付け部７３を設け、ストロボ装置７４のケース７６がレンズ付きフイルムユニット７１の側面の大半を構成するようにしてもよい。取り付け部７３は前カバー７７に設けられる。ストロボ装置７４を取り付けない場合には、この取り付け部７３は、ダミーカバー７８によって覆われる。ダミーカバー７８は、ケース７４と略同形で形成される。
【００６２】
この例のようにユニット本体７２の側端部に取り付け部７３を設ける場合には、本体基部７８の写真フイルム収納室７８ｂを暗箱７９に寄せて配置する。そして、写真フイルム収納室７８ｂの横にストロボ装置７４が配置する。こうすれば、レンズ付きフイルムユニット７１の厚みを薄くすることができる。また、ケース７４内の回路基板４７を、側面とほぼ平行になるように配置すれば、ストロボ装置７４の幅を狭くすることができるので、レンズ付きフイルムユニット７１の幅の増加を抑えられる。
【００６３】
また、上記実施形態では、ストロボ装置及びダミーカバーが前カバーに取り付けられる例で説明しているが、図９に示すレンズ付きフイルムユニット８１のように、前カバー８２にストロボ装置８３のケース８４を一体に設けてもよい。この場合には、本体基部８６の前面が取り付け部となり、ストロボ装置８３を取り付けない時には、ダミーカバーとして、ケース８４が設けられていない単なる前カバー８８が取り付けられる。これにより、前記取り付け部が覆われて、ストロボ装置付きのレンズ付きフイルムユニットと、ストロボ装置無しのレンズ付きフイルムユニットの外形が同じになる。
【００６４】
また、上記実施形態では、充電が完了している状態では、被写体輝度に関わらず常にストロボ発光がなされるストロボ装置の例で説明しているが、測光装置を設けて、被写体輝度に応じて発光するストロボ装置でもよい。また、被写体輝度に応じてストロボの発光量を調節可能なストロボ装置でもよい。
【００６５】
【発明の効果】
以上詳細に説明したように、本発明のレンズ付きフイルムユニットは、予め未露光の写真フイルムが装填され簡単な撮影機構が組み込まれたレンズ付きフイルムユニットにおいて、ユニット本体には、ストロボ発光部，回路基板及びこれらに給電を行う電源電池が密封されたケースに収納されたストロボ装置が着脱自在に取り付けられる取り付け部が設けられており、この取り付け部には、前記ストロボ装置を取り付けない場合にはその代わりのダミーカバーが取り付けられるようにしたから、ストロボ装置の有無にかかわらず、ユニット本体を共通化することができる。これにより、製造コストの増加を抑えるとともに生産効率を悪化させることなく、ストロボ装置の流用を抑制又は防止することができる。具体的には、ストロボ装置のケースによって、レンズ付きフイルムユニットの外装カバーの一部を構成したり、または、前記ケースを外装カバーと一体に設ける。
【図面の簡単な説明】
【図１】レンズ付きフイルムユニットの外観図である。
【図２】ユニット本体，ストロボ装置，ダミーカバーの説明図である。
【図３】レンズ付きフイルムユニットの分解斜視図である。
【図４】レンズ付きフイルムユニットの水平方向の断面図である。
【図５】ストロボ回路の説明図である。
【図６】レンズ付きフイルムユニットのリサイクルのフローチャートである。
【図７】取り付け部をユニット本体の側端部に設けたレンズ付きフイルムユニットの外観図である。
【図８】図７のレンズ付きフイルムユニットの水平方向の断面図である。
【図９】前カバー自体にストロボ装置を設けたレンズ付きフイルムユニットの説明図である。
【符号の説明】
２，３  レンズ付きフイルムユニット
６，７４，８３  ストロボ装置
７，７３  取り付け部
８，７８  ダミーカバー
【図１】
0003753315.tif 000002
【図２】
0003753315.tif 000003
【図３】
0003753315.tif 000004
【図４】
0003753315.tif 000005
【図５】
0003753315.tif 000006
【図６】
0003753315.tif 000007
【図７】
0003753315.tif 000008
【図８】
0003753315.tif 000009
【図９】
0003753315.tif 000010